(57)【特許請求の範囲】
【請求項１】
リモコン送信機からリモコン受信機に暗証コードを送信し照合して遠隔操作を行うためのキーレスエントリシステムにおいて、
前記リモコン受信機は、暗証コード用メモリーに記憶されている暗証コードの変更時に、ＦＭ多重放送、テレビジョン多重放送、デジタル放送のうち一つを受信し、受信された信号から得られたデジタル・データの一部を選択して選択されたデジタル・データを前記暗証コードとすることを特徴とするキーレスエントリシステムの暗証コード発生方法。
【請求項２】
リモコン送信機からリモコン受信機に暗証コードを送信し照合して遠隔操作を行うためのキーレスエントリシステムにおいて、
前記リモコン受信機は、暗証コード用メモリーに記憶されている暗証コードの変更時に、携帯電話、ページャのうち一つから送信されるデジタル・データを受信し、受信されたデジタル・データの一部を選択して選択されたデジタル・データを前記暗証コードとすることを特徴とするキーレスエントリシステムの暗証コード発生方法。
【請求項３】
前記暗証コードは、受信されたデジタル・データを暗号化し暗号化されたデジタル・データの一部を選択したデジタル・データにより形成されることを特徴とする請求項１又は２に記載のキーレスエントリシステムの暗証コード発生方法。
【請求項４】
前記暗証コードは、受信されたデジタル・データの一部を選択したデジタル・データに暗号化したデジタル・データにより形成される請求項１又は２に記載のキーレスエントリシステムの暗証コード発生方法。
【請求項５】
リモコン送信機からリモコン受信機に暗証コードを送信し照合して遠隔操作を行うためのキーレスエントリシステムにおいて、
前記リモコン受信機はＦＭ多重放送、テレビジョン多重放送、デジタル放送のうち一つを受信し、
照合用の暗証コードが書き込まれる受信側暗証コード用メモリーと、
前記リモコン受信機の暗証コード用メモリーに記憶されている前記暗証コードの変更時に、受信された信号から得られたデジタル・データの一部を選択して暗証コードとして前記暗証コード用メモリーに書き込みまれている照合用の暗証コードを変更するデータ制御回路とを備え、
前記リモコン送信機は前記リモコン受信機から変更された暗証コードを受信し、
前記受信した変更暗証コードが書き込まれる送信側暗証コード用メモリーを備えることを特徴とするキーレスエントリシステム。
【請求項６】
リモコン送信機からリモコン受信機に暗証コードを送信し照合して遠隔操作を行うためのキーレスエントリシステムにおいて、
前記リモコン受信機は携帯電話、ページャのうち一つから送信されるデジタル・データを受信し、
照合用の暗証コードが書き込まれる受信側暗証コード用メモリーと、
前記リモコン受信機の暗証コード用メモリーに記憶されている前記暗証コードの変更時に、受信されたデジタル・データの一部を選択して暗証コードとして前記暗証コード用メモリーに書き込みまれている照合用の暗証コードを変更するデータ制御回路とを備え、
前記リモコン送信機は前記リモコン受信機から変更された暗証コードを受信し、
前記受信した変更暗証コードが書き込まれる送信側暗証コード用メモリーを備えることを特徴とするキーレスエントリシステム。
【請求項７】
リモコン送信機からリモコン受信機に暗証コードを送信し照合して遠隔操作を行うためのキーレスエントリシステムにおいて、
前記リモコン受信機は、
ページャ送受信機と、
前記ページャ送受信機により送受信される電子メッセージを保存するページャメモリーと、
照合用の暗証コードが書き込まれる受信側暗証コード用メモリーと、
前記リモコン受信機の暗証コード用メモリーに記憶されている前記暗証コードの変更時に、前記ページャメモリーに保存されている電子メッセージのデジタル・データの一部を選択し暗証コードとして前記暗証コード用メモリーに書き込みまれる照合用の暗証コードを変更するデータ制御回路とを備え、
前記リモコン送信機は前記リモコン受信機から変更された暗証コードを受信し、
前記受信した変更暗証コードが書き込まれる送信側暗証コード用メモリーを備えることを特徴とするキーレスエントリシステム。
【請求項８】
前記リモコン受信機には、さらに、スクランブル回路を設け、前記データ制御回路は前記スクランブル回路により暗号化されたデジタル・データの一部を選択して暗証コードとして照合用暗証コードを変更し、
前記リモコン送信機には、さらに、デ・スクランブル回路設け、前記リモコン受信機から受信した変更暗証コードがデ・スクランブル回路により、暗号解除されて前記送信側暗証コード用メモリーに書き込まれ、前記送信側暗証コード用メモリーに書き込まれた暗証コードは前記リモコン受信機に送信時には前記スクランブル回路により暗合化され照合されることを特徴とする請求項５、６、７のいずれか一つに記載のキーレスエントリシステム。
【請求項９】
前記リモコン受信機には、さらに、スクランブル回路を設け、前記デジタル制御回路で受信されたデジタル・データの一部を選択した暗証コードを前記スクランブル回路により暗号化して暗証コードとして照合用暗証コードを変更し、
前記リモコン送信機には、さらに、デ・スクランブル回路設け、前記リモコン受信機から受信した変更暗証コードがデ・スクランブル回路により、暗号解除されて送信側暗証コード用メモリーに書き込まれ、前記送信側暗証コード用メモリーに書き込まれた暗証コードは前記リモコン受信機に送信時には前記スクランブル回路により暗合化され照合されることを特徴とする請求項５、６、７のいずれか一つに記載のキーレスエントリシステム。
【請求項１０】
暗証コード用メモリーに記憶されている暗証コードの変更時に、ＦＭ多重放送、テレビジョン多重放送、デジタル放送のうち一つを受信し、受信された信号から得られたデジタル・データの一部を選択し、該選択されたデジタル・データを暗証コードとして暗証コード用メモリーに書き込む暗証コード設定方法。
【請求項１１】
リモコン送信機からリモコン受信機に暗証コードを送信し照合して遠隔操作を行うためのキーレスエントリシステムに用いられるリモコン受信機において、
前記リモコン受信機の暗証コード用メモリーに記憶されている前記暗証コードの変更時に、ＦＭ多重放送、テレビジョン多重放送、デジタル放送のうち一つを受信し、受信された信号から得られたデジタル・データの一部を選択し、該選択されたデジタル・データを前記暗証コードとすることを特徴とするキーレスエントリシステムに用いられるリモコン受信機。
【請求項１２】
リモコン送信機からリモコン受信機に暗証コードを送信し照合して遠隔操作を行うためのキーレスエントリシステムに用いられるリモコン送信機において、
前記リモコン受信機の暗証コード用メモリーに記憶されている前記暗証コードの変更時に、ＦＭ多重放送、テレビジョン多重放送、デジタル放送のうち一つを受信し、受信された信号から得られたデジタル・データの一部を選択し、該選択されたデジタル・データを前記暗証コードとするリモコン受信機により送信された該暗証コードを受信し、該受信した暗証コードが書き込まれる送信側暗証コード用メモリーを備えることを特徴とするキーレスエントリシステムに用いられるリモコン送信機。
【発明の詳細な説明】
【０００１】
【発明の属する技術分野】
本発明は自動車やガレージ等のドアの開閉が遠隔操作で行えるキーレスエントリーシステム及びその暗証コード発生方法に関し、特にキーレスエントリシステムに使用される暗証コードの変更が可能なシステム及びその暗証コード発生方法に関する。
【０００２】
【従来の技術】
従来のキーレスエントリシステムは自動車やガレージのドアにリモコン受信機が取り付けられ、離れたところのリモコン送信機からリモコン受信機に暗証コードを送信してドアの開閉が行われるようにしたものである。リモコン受信機、リモコン送信器のメモリーには暗証コードが書き込まれている。使用される暗証コードには一度書き込むと後で変更できない「固定コード」と、時間により絶えず暗証コードが変化する「ローリング・コード」の２種がある。
【０００３】
【発明が解決しようとする課題】
しかしながら、従来のキーレスエントリシステムでは、メーカーが出荷時に暗証コードを決定するため、使用者にはコードの設定ができないという問題がある。
したがって、本発明は、上記問題点に鑑み、暗証コードを使用者が瞬時に且つ容易に変更でき、セキュリティ性にも富んだキーレスエントリシステム及びその暗証コード発生方法を提供することを目的とする。
【０００４】
【課題を解決するための手段】
本発明は、前記問題点を解決するために、リモコン送信機からリモコン受信機に暗証コードを送信し照合して遠隔操作を行うためのキーレスエントリシステムにおいて、前記リモコン受信機はＦＭ多重放送、テレビジョン多重放送、デジタル放送のうち一つを受信し、照合用の暗証コードが書き込まれる受信側暗証コード用メモリーと、前記リモコン受信機の暗証コード用メモリーに記憶されている前記暗証コードの変更時に、受信された信号から得られたデジタル・データの一部を選択して暗証コードとして前記暗証コード用メモリーに書き込みまれている照合用の暗証コードを変更するデータ制御回路とを備え；前記リモコン送信機は前記リモコン受信機から変更された暗証コードを受信し、前記受信した変更暗証コードが書き込まれる送信側暗証コード用メモリーを備える。この手段により、暗証コードを使用者が瞬時に且つ容易に変更でき、セキュリティ性にも富んだ暗証コードが得られる。
【０００５】
【発明の実施の形態】
自動車のドアの開閉に使用されるキーレスエントリシステムの例について、以下本発明の実施の形態について図面を参照して説明する。
図１は本発明に係るキーレスエントリシステムにおけるリモコン受信機の暗証コード用メモリ−に記憶されている暗証コードの変更を、ＦＭ受信機を用いて、行う例を説明する図である。本図に示すキーレスエントリシステムのリモコン受信機１００はＦＭ多重放送などの任意なデジタル・データをラジオ・チューナで受信した際、受信データの一部をメモリーに保存し暗証コードにするものである。具体的には、リモコン受信機１００は、電波を電気信号に変換するアンテナ２と、アンテナ２を経由してラジオ局１からＦＭ（周波数変調）多重放送のデジタル・データ信号を受信して復調するＦＭ受信器３とからなるＦＭ受信機と兼用される。リモコン受信機１００ではＦＭ受信機３の後段にデータ制御回路４とこの後段にさらに暗証コード用メモリー５とが設けられる。
【０００６】
データ制御回路４は使用者が暗証コード設定ボタンをＯＮにすると、暗証コード設定命令を入力しＦＭ受信器３へ受信命令とデータ転送命令が出される。
他方、ＦＭ受信器３は一定期間ＦＭ多重放送を受信し、デジタル・データ、例えば、０１１０００１００１０１１０１１０に復調し、データ制御回路４を経由してデジタル・データの一部を任意に選択して（下線部）暗証コードメモリー５に送り、任意に選択されたデジタル・データ、例えば、１００１０１１０を書き込む。ＦＭ多信放送受信機としてはテレビジョン放送を受信したり、デジタル放送（ＯＦＤＭ）を受信するものであってもよい。このようにして、暗証コードメモリー５の暗証コードが変更される。このようにして変更したデジタル・データをキーレスエントリシステムで暗証コードとして使用する。このため、ラジオ、テレビジョンといった既存メディアから手軽に暗証コードを作りだすことが可能になる。
【０００７】
図２は本発明に係るキーレスエントリシステムにおけるリモコン受信機の暗証コード用メモリ−に記憶されている暗証コードの変更を、携帯電話、ページャ等を用いて、行う例を説明する図である。本図に示すキーレスエントリシステムのリモコン受信機１００は携帯電話やページャなどの使用者に依存するデジタル・データを受信した際、受信データの一部をメモリーに保存し暗証コードにするものである。具体的には、キーレスエントリシステムのリモコン受信機１００は、電波を電気信号に変換するアンテナ１２と、アンテナ１２を経由して携帯電話、ページャ等のようなデータ送信器１１からデジタル・データを受信して復調するデータ受信器１３とを具備する。さらにリモコン受信機１００にはデータ受信器１３の後段にデータ制御回路１４とこの後段にさらに暗証コード用メモリー１５とが設けられる。
【０００８】
データ制御回路１４は、携帯電話やページャのようなデータ送信器１１がデータ送信中に、使用者が暗証コード設定ボタンをＯＮにすると、暗証コード設定命令を入力しデータ受信器１３へ受信命令とデータ転送命令が出される。
他方、データ受信器１３は一定期間送信されたデジタル・データを受信し、デジタル・データ、例えば、０１００１０１１０１に復調し、データ制御回路１４を経由してデジタル・データの一部を任意に選択して（下線部）暗証コードメモリー１５に送り、任意に選択されたデジタル・データ、例えば、１００１０１１０を書き込む。このようにして、暗証コードメモリー１５の暗証コードが変更される。このようにして変更したデジタル・データをキーレスエントリシステムで暗証コードとして使用する。このため、携帯電話やページャなど個人通信端末から手軽に暗証コードを作り出すことが可能になる。
【０００９】
次に、図１及び図２に示す実施の形態の変形例を説明する。図３は図２に示す実施例の形態の変形例で代表して図１及び図２に示す実施の形態の変形例を説明する図である。本図に示す如く、データ受信器１３とデータ制御回路１４との間にスクランブル回路１６が設けられる。
データ制御回路１４は携帯電話やページャでデータ送信中に、使用者が暗証コード設定ボタンをＯＮにすると、暗証コード設定命令を入力しデータ受信器１３へ受信命令とデータ転送命令が出される。
【００１０】
他方、データ受信器１３は一定期間送信されたデジタル・データを受信し復調し、デジタル・データ、例えば、０１００１０１１０１に復調し、データ制御回路１４を経由してデジタル・データの一部、例えば、１００１０１１０、を任意に選択して（下線部）して、スクランブル回路１６でデジタル・データを暗号化し暗証コードメモリー１５に送り書き込ませる。
【００１１】
このようにして、簡単な回路追加により、暗号化し、機密性を増すことが可能になる。
図４は図３の変形例を説明する図である。本図に示す如く、図３に示すスランブル回路１６とデータ制御回路１４との配置を変え、データ制御回路１４の後段にスクランブル回路１６が設けられる。
【００１２】
このようにして、構成の多様性を増すことが可能となり、上記と同様の作用効果を得ることができる。
図５は図１の変形例であり、リモコン送信器２００の暗証コード用メモリ−に記憶されている暗証コードの変更を、リモコン受信機１００を用いて、行う例を説明する図である。本図に示すキーレスエントリシステムは図１を発展させたものであり、リモコン受信機１００とリモコン送信機２００との双方向通信でリモコン送信機２００の暗証コードの変更を行うものである。具体的には、本図に示す如く、まずリモコン受信機１００にはデータ制御回路４からのデジタル・データをアンテナ２を経由して送信するＦＭ送信器６が設けられる。さらに、リモコン受信機１００と送受信を行うリモコン送信器２００はアンテナ２１と、アンテナ２１に接続されるＦＭ受信器２２、ＦＭ送信器２３と、ＦＭ受信器２２及びＦＭ送信器２３の後段にデータ制御回路２４と、さらにデータ制御回路２４の後段に暗証コード用メモリー２５とを具備する。
【００１３】
リモコン送信機２００のデータ制御回路２３に暗証コードの書き換え命令が使用者より出されると、リモコン送信機２００からＦＭ送信器２２、アンテナ２１を経由してリモコン受信機１００に命令信号が送信される。リモコン受信機１００ではアンテナ２、ＦＭ受信器３を経由して、データ制御回路４が命令信号を受けると、図１で説明した如く、ラジオ局１からアンテナ２、ＦＭ受信器３を経由して受信したデジタル・データの選択された一部で暗証コードメモリー５の変更を行う。その後、データ制御回路４は暗証コードメモリー５から変更された暗証コードを読み出してＦＭ送信器６、アンテナ２を経由してリモコン送信機２００に送信する。リモコン送信機２００では、アンテナ２１、ＦＭ受信器２２を経由してリモコン受信機１００から送信してきたデジタル・データを受信してデータ制御回路２４は受信したデジタル・データで暗証コードメモリー２５の書き換えを行う。
【００１４】
次にリモコン送信機２００のデータ制御回路２４に使用者から通常の送信命令が出されると、データ制御回路２４により暗証コード用メモリー２５から書き換えた暗証コードが読み出されてＦＭ送信器２３、アンテナ２１を経由してリモコン受信機１００に送信される。リモコン受信機１００ではアンテナ２、ＦＭ受信器３を経由して暗証コードを受信した時、データ制御回路４は暗証コード用メモリー５から読み出した暗証コードと受信した暗証コードとを照合する。データ制御回路４は照合で一致すると判断すると、次の動作、すなわち、ドアの開閉を行うアクチュエータ（図示しない）に制御信号を送る。
【００１５】
このようにして、使用者はボタン一つで暗証コードの変更が可能になる。
図６は図２の変形例であり、リモコン送信器の暗証コード用メモリ−に記憶されている暗証コードの変更を、リモコン受信機１００を用いて、行う例を説明する図である。本図に示すキーレスエントリシステムは図２を発展させたものであり、リモコン受信機１００とリモコン送信機２００との双方向通信でリモコン送信機２００の暗証コードの変更を行うものである。具体的には、データ送信器１１は携帯電話、ページャ等である。本図に示す如く、まずリモコン受信機１００にはデータ制御回路１４からのデジタル・データをアンテナ１２を経由して送信するデータ送信機１６が設けられる。さらに、リモコン受信機１００と送受信を行うリモコン送信器２００はアンテナ３１と、アンテナ３１に接続されるデータ受信器３２、データ送信器３３と、データ受信器３２及びＦＭ送信器３３の後段にデータ制御回路３４と、さらにデータ制御回路３４の後段に暗証コード用メモリー３５とを具備する。
【００１６】
リモコン送信機２００のデータ制御回路３４に暗証コードの書き換え命令が使用者より出されると、リモコン送信機２００からデータ送信器３３、アンテナ２１を経由してリモコン受信機１００に命令信号が送信される。リモコン受信機１００ではアンテナ１２、データ受信器１３を経由して、データ制御回路１４が命令信号を受けると、図２で説明した如く、デジタル送信機１１からアンテナ１２、データ受信器１３を経由して受信したデジタル・データの選択された一部で暗証コードメモリー１５の書き換えを行う。その後、データ制御回路１４は暗証コードメモリー１５から変更された暗証コードを読み出してデータ送信器１７、アンテナ１２を経由してリモコン送信機２００の送信する。リモコン送信機２００では、アンテナ２１、ＦＭ受信器２２を経由してリモコン受信機１００から送信してきたデジタル・データを受信してデータ制御回路２３は受信したデジタル・データで暗証コードメモリー２４の書き換えを行う。
【００１７】
次にリモコン送信機２００のデータ制御回路２４に使用者から通常の送信命令が出されると、データ制御回路２４により暗証コード用メモリー２４から書き換えた暗証コードが読み出されてＦＭ送信器２２、アンテナ２１を経由してリモコン受信機１００に送信される。リモコン受信機１００ではアンテナ１２、データ受信器１３を経由して暗証コードを受信した時、データ制御回路１４は暗証コード用メモリー１５から読み出した暗証コードと受信した暗証コードとを照合する。データ制御回路１４は照合で一致すると判断すると、次の動作、すなわち、ドアの開閉を行うアクチュエータ（図示しない）に制御信号を送る。
【００１８】
このようにして、使用者はボタン一つで暗証コードの変更が可能になる。
図７は図６の変形例を説明する図である。本図に示すキーレスエントリシステムは図６を発展させたものであり、リモコン受信機１００とデータ送信器１１であるページャとを兼用させたものである。具体的には、本図に示す如く、図６のデータ送信器１１に代わり、リモコン受信機１００にアンテナ１２に接続されるページャ送受信機１１−１と、ページャ送受信機１１−２に接続されるページャ用メモリー１１−２が設けられる。ページャ用メモリー１１−２には電子メッセージが保存されているが、データ制御回路１４により電子メッセージの一部が暗証コードとして暗証コード用メモリー１５に書き換えれる。
【００１９】
このようにして、使用者はボタン一つで暗証コードの変更が可能になる。
図８は図５の変形例を説明する図である。本図に示すキーレスエントリシステムは図５を発展させたものであり、具体的には、リモコン受信機１００においてＦＭ受信器３とデータ制御回路４との間にスクランブル回路７が設けられ、リモコン送信機２００においてＦＭ受信器２２とデータ制御回路２４との間にデ・スクランブル回路２６が設けられる。
【００２０】
暗証コードの変更時には、リモコン受信機１００の暗証コード用メモリー５では受信データの一部を任意に選択されたものがスクランブル回路７により暗号化されて書き換えられる。リモコン送信機２００の暗証コード用メモリー２５ではリモコン受信機１００から暗号化された暗証コードがデ・スクランブル回路２６により暗号解除されて変更される。
【００２１】
リモコン時には、リモコン送信機２００の暗証コード用メモリー２５から暗証コードがリモコン受信機１００に送信されてスクランブル回路７により暗号化した暗証コードがデータ制御部４により暗証コード用メモリー５からの暗証コードと照合される。
このようにして、使用者はボタン一つで暗証コードの変更が可能になり且つ機密性を増すことができる。
【００２２】
図９は図８の変形例を説明する図である。本図に示す如く、図８に示すリモコン受信機１００でスクランブル回路７とデータ制御回路４との配置を変え、データ制御回路４の後段にスクランブル回路７が設けられる。さらに、リモコン送信機２００でデ・スクランブル回路２６とデータ制御回路２４との配置を変え、データ制御回路２４の後段にデ・スクランブル回路２６が設けられる。
【００２３】
このようにして、構成の多様性を増すことが可能となり、上記と同様の作用効果を得ることができる。
図１０は図６の変形例を説明する図である。本図に示すキーレスエントリシステムは図６を発展させたものであり、具体的には、リモコン受信機１００においてデータ受信器１３とデータ制御回路１４との間にスクランブル回路１６が設けられ、リモコン送信機２００においてデータ受信器３２とデータ制御回路３４との間にデ・スクランブル回路３６が設けられる。
【００２４】
暗証コードの変更時には、リモコン受信機１００の暗証コード用メモリー１５では受信データの一部を任意に選択されたものがスクランブル回路１７により暗号化されて書き換えられる。リモコン送信機２００の暗証コード用メモリー３５ではリモコン受信機１００から暗号化された暗証コードがデ・スクランブル回路３６により暗号解除されて書き換えられる。
【００２５】
リモコン時には、リモコン送信機２００の暗証コード用メモリー３５から暗証コードがリモコン受信機１００に送信されてスクランブル回路１６により暗号化した暗証コードがデータ制御部１４により暗証コード用メモリー１５からの暗証コードと照合される。
このようにして、使用者はボタン一つで暗証コードの変更が可能になり且つ機密性を増すことができる。
【００２６】
図１１は図１０の変形例を説明する図である。本図に示す如く、図１０に示すリモコン受信機１００でスクランブル回路１６とデータ制御回路１４との配置を変え、データ制御回路１４の後段にスクランブル回路１６が設けられる。さらに、リモコン送信機２００でデ・スクランブル回路３６とデータ制御回路３４との配置を変え、データ制御回路３４の後段にデ・スクランブル回路３６が設けられる。
【００２７】
このようにして、構成の多様性を増すことが可能となり、上記と同様の作用効果を得ることができる。
図１２は図７の変形例を説明する図である。本図に示すキーレスエントリシステムは図７を発展させたものであり、具体的には、リモコン受信機１００においてデータ受信器１３とデータ制御回路１４との間にスクランブル回路１６が設けられ、リモコン送信機２００においてデータ受信器３２とデータ制御回路３４との間にデ・スクランブル回路３６が設けられる。
【００２８】
暗証コードの変更時には、リモコン受信機１００の暗証コード用メモリー１５では受信データの一部を任意に選択されたものがスクランブル回路１６により暗号化されて書き換えられる。リモコン送信機２００の暗証コード用メモリー３５ではリモコン受信機１００から暗号化された暗証コードがデ・スクランブル回路３６により暗号解除されて書き換えられる。
【００２９】
リモコン時には、リモコン送信機２００の暗証コード用メモリー３５から暗証コードがリモコン受信機１００に送信されてスクランブル回路１６により暗号化した暗証コードがデータ制御部１４により暗証コード用メモリー１５からの暗証コードと照合される。
このようにして、使用者はボタン一つで暗証コードの変更が可能になり且つ機密性を増すことができる。
【００３０】
図１３は図１２の変形例を説明する図である。本図に示す如く、図１２に示すリモコン受信機１００でスクランブル回路１６とデータ制御回路１４との配置を変え、データ制御回路１４の後段にスクランブル回路１６が設けられる。さらに、リモコン送信機２００でデ・スクランブル回路３６とデータ制御回路３４との配置を変え、データ制御回路３４の後段にデ・スクランブル回路３６が設けられる。
【００３１】
このようにして、構成の多様性を増すことが可能となり、上記と同様の作用効果を得ることができる。
【００３２】
【発明の効果】
以上の説明により本発明によれば、受信された信号から得られたデジタル・データの一部を選択して暗証コードとして変更を行うので、暗証コードを使用者が瞬時に且つ容易に変更でき、セキュリティ性にも富んだ暗証コードが得られる。
【図面の簡単な説明】
【図１】本発明に係るキーレスエントリシステムにおけるリモコン受信機の暗証コード用メモリ−に記憶されている暗証コードの変更を、ＦＭ受信機を用いて、行う例を説明する図である。
【図２】本発明に係るキーレスエントリシステムにおけるリモコン受信機の暗証コード用メモリ−に記憶されている暗証コードの変更を、携帯電話等を用いて、行う例を説明する図である。
【図３】図２に示す実施例の形態の変形例で代表して図１及び図２に示す実施の形態の変形例を説明する図である。
【図４】図３の変形例を説明する図である。
【図５】図１の変形例であり、リモコン送信器２００の暗証コード用メモリ−に記憶されている暗証コードの変更を、リモコン受信機１００を用いて、行う例を説明する図である。
【図６】図２の変形例であり、リモコン送信器の暗証コード用メモリ−に記憶されている暗証コードの変更を、リモコン受信機１００を用いて、行う例を説明する図である。
【図７】図６の変形例を説明する図である。
【図８】図５の変形例を説明する図である。
【図９】図８の変形例を説明する図である。
【図１０】図６の変形例を説明する図である。
【図１１】図１０の変形例を説明する図である。
【図１２】図７の変形例を説明する図である。
【図１３】図１２の変形例を説明する図である。
【符号の説明】
１…ラジオ局
２、１２、２１、３１…アンテナ
３、２２…ＦＭ受信器
４、２４、３４…データ制御回路
５、２５、３５…暗証コード用メモリー
６、２３…ＦＭ送信器
７、１６…スクランブル回路
２６、３６…デ・スクランブル回路
１３、３２…データ受信器
１７、３３…データ送信器
１００…リモコン受信機
２００…リモコン送信機
【図１】
0004233129.tif 000002
【図２】
0004233129.tif 000003
【図３】
0004233129.tif 000004
【図４】
0004233129.tif 000005
【図５】
0004233129.tif 000006
【図６】
0004233129.tif 000007
【図７】
0004233129.tif 000008
【図８】
0004233129.tif 000009
【図９】
0004233129.tif 000010
【図１０】
0004233129.tif 000011
【図１１】
0004233129.tif 000012
【図１２】
0004233129.tif 000013
【図１３】
0004233129.tif 000014